(57)【要約】【課題】ネットワークに接続されたサーバと端末機とを利用して、販売者によるカタログ作成から受注までの業務を一連のものとして管理し、販売者と購入者との間での商品の売買をより促進する販売補助システムを提供すること。【解決手段】ネットワークを介して接続されたサーバ３と端末機４，５とを利用して、販売者側端末機４上で動作する受注アプリケーション４ａにより商品の写真を含む商品情報ファイルがサーバ３上に登録され（ステップ１０８）、購入者側端末機５上で動作する発注アプリケーション５ａによりサーバ３上に登録された商品情報ファイルを閲覧し、購入を希望する商品を選択し、発注する（ステップ２０４〜２０８）。ここで、サーバ３上で動作する管理アプリケーション３ａが発注アプリケーション５ａによる商品情報ファイルの内容の閲覧を管理することで、購入者は自己の扱う部類の商品に関する商品情報を閲覧することができる。【選択図】図２
2015035113.tif 000002
【特許請求の範囲】
【請求項１】
ネットワークに接続されたサーバと端末機とを利用して、販売者と購入者との間での商品の売買を補助する販売補助システムであって、
前記販売者用の第１端末機上で動作し、前記商品を撮影する撮影手段と、前記商品に関する付加情報を入力する第１入力手段と、前記撮影手段により撮影された前記商品の写真と前記第１入力手段により入力された前記付加情報とを含む商品情報ファイルを前記サーバ上に登録する第１登録手段と、を有する第１アプリケーションと、
前記購入者用の第２端末機上で動作し、前記サーバ上の前記商品情報ファイルの内容を閲覧する閲覧手段と、該閲覧手段により閲覧した商品に関する発注情報を入力する第２入力手段と、該第２入力手段により入力された前記発注情報を含む発注情報ファイルを前記サーバ上に登録する第２登録手段と、を有する第２アプリケーションと、
前記サーバ上で動作し、前記閲覧手段による前記商品情報ファイルの内容の閲覧の管理する第３アプリケーションと、
を備える販売補助システム。
【請求項２】
前記閲覧手段は、前記付加情報を基に前記商品情報ファイルを検索し、該検索結果の一覧を表示する機能を含むことを特徴とする、請求項１に記載の販売補助システム。
【請求項３】
前記閲覧手段は、前記商品の写真を表示する機能を含むことを特徴とする、請求項１又は２に記載の販売補助システム。
【請求項４】
前記サーバ上には、前記購入者に関する基本情報が保存され、
前記第３アプリケーションは、前記基本情報を基に前記商品情報ファイルの内容の閲覧を管理することを特徴とする、請求項１〜３のいずれか一項に記載の販売補助システム。
【請求項５】
前記商品は、衣服、食料品又は事務用品を含み、
前記付加情報は、前記衣服食料品又は事務用品の種類に関する情報を含み、
前記第３アプリケーションは、前記基本情報及び前記衣服の種類に関する情報を基に前記商品情報ファイルの内容の閲覧を管理することを特徴とする、請求項４に記載の販売補助システム。
【請求項６】
前記商品情報ファイルは、前記サーバ上で、前記購入者毎又は前記購入者のグループ毎に異なるフォルダ内に保存され、
前記第３アプリケーションは、前記フォルダへのアクセスを制限することで、前記閲覧手段による前記商品情報ファイルの内容の閲覧の管理することを特徴とする、請求項１〜５のいずれか一項に記載の販売補助システム。
【請求項７】
前記第１アプリケーションは、さらに、前記サーバ上の前記発注情報ファイルの内容を出力する出力手段を有することを特徴とする、請求項１〜６のいずれか一項に記載の販売補助システム。
【請求項８】
前記発注情報ファイルは、前記サーバ上で、前記販売者毎に異なるフォルダ内に保存され、
前記出力手段は、前記商品の販売者に対応する前記フォルダ内に保存された前記発注情報ファイルの内容を出力することを特徴とする、請求項７に記載の販売補助システム。
【請求項９】
前記第１及び第２端末機のうちの少なくとも１つは、スマートフォン及びタブレット型パーソナルコンピュータを含む携帯端末機であることを特徴とする、請求項１〜８のいずれか一項に記載の販売補助システム。
【発明の詳細な説明】
【技術分野】
【０００１】
本発明は、ネットワークに接続されたサーバと端末機とを利用して、販売者と購入者との間での商品の売買を補助する販売補助システムに関する。
【背景技術】
【０００２】
従来、製造業者等の販売者と卸売店、小売店等の購入者との間での商品の売買では、販売者は商品のカタログ（資料）を作成（印刷）し、その商品を扱う多数の購入者に配布し、各購入者は配布されたカタログを参照して購入を希望する商品を選択し、電話、ファクシミリ等の手段を用いて販売者に発注するのが通常であった。
【０００３】
近年、インターネットを介してこれに接続されたパーソナルコンピュータ等の端末機或いはスマートフォン、タブレット型パーソナルコンピュータ等の携帯端末機を利用して販売者及び購入者の上記の手間を減らし、販売者と購入者との間での商品の売買を促進する技術が発展している（例えば、特許文献１参照）。
【０００４】
しかし、カタログの作成・配布と、商品の受発注とは別々のシステムによって運用されており、これらを一括してさらなる商品の売買の促進を行うものではない。
【先行技術文献】
【特許文献】
【０００５】
【特許文献１】特許第５２２７４７７号公報
【発明の概要】
【発明が解決しようとする課題】
【０００６】
本発明は、ネットワークに接続されたサーバと端末機とを利用して、販売者によるカタログ作成から受注までの業務を一連のものとして管理し、販売者と購入者との間での商品の売買をより促進する販売補助システムを提供することを課題とする。
【課題を解決するための手段】
【０００７】
本発明は、
ネットワークに接続されたサーバと端末機とを利用して、販売者と購入者との間での商品の売買を補助する販売補助システムであって、
前記販売者用の第１端末機上で動作し、前記商品を撮影する撮影手段と、前記商品に関する付加情報を入力する第１入力手段と、前記撮影手段により撮影された前記商品の写真と前記第１入力手段により入力された前記付加情報とを含む商品情報ファイルを前記サーバ上に登録する第１登録手段と、を有する第１アプリケーションと、
前記購入者用の第２端末機上で動作し、前記サーバ上の前記商品情報ファイルの内容を閲覧する閲覧手段と、該閲覧手段により閲覧した商品に関する発注情報を入力する第２入力手段と、該第２入力手段により入力された前記発注情報を含む発注情報ファイルを前記サーバ上に登録する第２登録手段と、を有する第２アプリケーションと、
前記サーバ上で動作し、前記閲覧手段による前記商品情報ファイルの内容の閲覧の管理する第３アプリケーションと、を備える販売補助システムである。
【０００８】
これによれば、販売者は、第１アプリケーションを利用して効率的にカタログ相当の情報を作成でき、
購入者は、第２アプリケーションを利用してカタログ閲覧の後にスムーズに商品を購入でき、
第３アプリケーションが第２アプリケーションが有する閲覧手段による商品情報ファイルの内容の閲覧の管理することで、サーバを介して販売者から提供される商品の写真と付加情報とを含む商品情報が、その商品を扱う適当な購入者に閲覧可能となる。
【０００９】
本発明の販売補助システムは、
前記閲覧手段は、前記付加情報を基に前記商品情報ファイルを検索し、該検索結果の一覧を表示する機能を含むことを特徴とする。
【００１０】
これによれば、購入者が購入を希望する商品を検索することが可能となる。商品情報ファイルが各々の商品に係るものであっても、販売補助システムがカタログ相当の情報を購入者に提供する。
【００１１】
本発明の販売補助システムは、
前記閲覧手段は、前記商品の写真を表示する機能を含むことを特徴とする。
【００１２】
これによれば、購入者が商品の写真を見て商品を選択することが可能となる。
【００１３】
本発明の販売補助システムは、
前記サーバ上には、前記購入者に関する基本情報が保存され、
前記第３アプリケーションは、前記基本情報を基に前記商品情報ファイルの内容の閲覧を管理することを特徴とする。
【００１４】
これによれば、基本情報を基に商品情報ファイルの内容の閲覧が管理されるため、商品を扱う適当な購入者にその商品情報を提供することが可能となる。
【００１５】
本発明の販売補助システムは、
前記商品は、衣服、食料品又は事務用品を含み、
前記付加情報は、前記衣服、食料品又は事務用品の種類に関する情報を含み、
前記第３アプリケーションは、前記基本情報及び前記衣服、食料品又は事務用品の種類に関する情報を基に前記商品情報ファイルの内容の閲覧を管理することを特徴とする。
【００１６】
これによれば、基本情報及び衣服、食料品又は事務用品の種類に関する情報を基に商品情報ファイルの内容の閲覧が管理されるため、その衣服、食料品又は事務用品を扱う適当な購入者にその商品情報を提供することが可能となる。
【００１７】
本発明の販売補助システムは、
前記商品情報ファイルは、前記サーバ上で、前記購入者毎又は前記購入者のグループ毎に異なるフォルダ内に保存され、
前記第３アプリケーションは、前記フォルダへのアクセスを制限することで、前記閲覧手段による前記商品情報ファイルの内容の閲覧の管理することを特徴とする。
【００１８】
これによれば、商品情報ファイルが購入者毎又は購入者のグループ毎に異なるフォルダ内に保存され、第３アプリケーションによりフォルダへのアクセスが制限されるため、商品を扱う適当な購入者に商品情報を提供することが可能となる。
【００１９】
本発明の販売補助システムは、
前記第１アプリケーションは、さらに、前記サーバ上の前記発注情報ファイルの内容を出力する出力手段を有することを特徴とする。
【００２０】
これによれば、出力手段により発注情報が出力されるため、その発注情報を基に販売者が購入者に商品を納品することが可能となる。
【００２１】
本発明の販売補助システムは、
前記発注情報ファイルは、前記サーバ上で、前記販売者毎に異なるフォルダ内に保存され、
前記出力手段は、前記商品の販売者に対応する前記フォルダ内に保存された前記発注情報ファイルの内容を出力することを特徴とする。
【００２２】
これによれば、発注情報ファイルは販売者毎に異なるフォルダ内に保存され、出力手段により販売者に対応するフォルダ内に保存された発注情報ファイルの内容が出力されるため、その商品を販売する販売者に発注情報が送られる。
【００２３】
本発明の販売補助システムは、
前記第１及び第２端末機のうちの少なくとも１つは、スマートフォン及びタブレット型パーソナルコンピュータを含む携帯端末機であることを特徴とする。
【００２４】
これによれば、携帯端末機による利用ができることで、販売補助システムの利便性が向上する。なお、「携帯端末機」、特に第２端末機は、本発明に係るアプリケーションが動作すればコンピュータでなくてよく、携帯型ゲーム機、デジタルカメラをも含む。
【発明の効果】
【００２５】
本発明の販売補助システムによれば、販売者と購入者との間での商品の売買が促進される。
【図面の簡単な説明】
【００２６】
【図１】図１は、本実施形態に係る販売補助システムの構成を示す概念図である。
【図２】図２は、本実施形態に係る販売補助システムの動作を示すフローチャートである。
【図３】図３は、商品情報ファイルの内容の一例を示す図である。
【図４】図４は、発注アプリケーションにより購入者側端末機の画面上に表示される商品検索画面の一例を示す図である。
【図５】図５（Ａ）は発注アプリケーションにより購入者側端末機の画面上に表示される商品検索結果及び選択画面の一例を示す図、図５（Ｂ）は選択した衣服の拡大写真及びその詳細情報が表示された画面の一例を示す図である。
【図６】図６は、発注アプリケーションにより購入者側端末機の画面上に表示される商品発注画面及び発注情報の内容の一例を示す図である。
【図７】図７は、商品情報ファイルの内容のバリエーションを示す図である。
【発明を実施するための形態】
【００２７】
本発明の一実施形態について、図１〜７を用いて説明する。
【００２８】
図１に、本実施形態に係る販売補助システム１の構成を表す概念図を示す。販売補助システム１は、インターネット２に接続されたサーバ３、販売者側端末機４、及び購入者側端末機５から構成される。販売者側端末機４及び購入者側端末機５は通常複数であるが、以下の説明では、便宜上、各１つとして説明する。
【００２９】
サーバ３は、中央処理装置（ＣＰＵ）、記憶装置、入力装置、表示装置、通信装置等（いずれも不図示）の一般的機能を有するコンピュータである。サーバ３には、本実施形態に係る販売補助システム１を構成する管理アプリケーション３ａがインストールされている。管理アプリケーション３ａは、それが記録されたＣＤ−ＲＯＭ、ＵＳＢメモリ等の記録媒体をサーバ３に接続することでインストールすることができる。
【００３０】
サーバ３は、その上で管理アプリケーション３ａが動作することにより、商品の売買処理を実行する。記憶装置（不図示）には、販売補助システム１を利用する販売者及び購入者が予め登録した基本情報が記憶されている。基本情報には販売者及び購入者の氏名又は名称、所在地、製造又は販売する商品の種類等が含まれ、商品の売買処理において管理アプリケーション３ａにより利用される。
【００３１】
販売者側端末機４は、商品を製造し、卸売店、小売店等の購入者に販売する製造業者等の販売者により操作される。販売者側端末機４は、インターネット２を介して通信可能な端末機であり、デスクトップＰＣ、ラップトップＰＣ等の端末機に限らず、商品を撮影する機能を有するスマートフォン、タブレットＰＣ等の携帯端末機でもよい。携帯端末機による利用ができることで、販売補助システム１の利便性が向上する。本実施形態では販売者側端末機４は携帯端末機とするが、デスクトップＰＣ、ラップトップＰＣ等の端末機である場合、デジタルカメラを用いて撮影された商品の写真を処理する機能を有するものとする。
【００３２】
販売者側端末機４には、本実施形態に係る販売補助システム１を構成する受注アプリケーション４ａがインストールされている。受注アプリケーション４ａは、それが記録されたＣＤ−ＲＯＭ、ＵＳＢメモリ等の記録媒体を販売者側端末機４に接続することで、或いはインターネットを介してサーバ３等からダウンロードすることで、インストールすることができる。
【００３３】
販売者側端末機４は、その上で受注アプリケーション４ａが動作することにより、商品の詳細情報の提供、受注等の販売処理を実行する。
【００３４】
購入者側端末機５は、製造業者等の販売者から商品を購入し、小売業者に販売する卸売業者又は消費者に販売する小売業者により操作される。購入者側端末機５も、販売者側端末機４と同様に、インターネット２を介して通信可能な端末機であり、デスクトップＰＣ、ラップトップＰＣ等の端末機に限らず、スマートフォン、タブレットＰＣ等の携帯端末機でもよい。
【００３５】
購入者側端末機５には、販売補助システム１を構成する発注アプリケーション５ａがインストールされている。発注アプリケーション５ａは、それが記録されたＣＤ−ＲＯＭ、ＵＳＢメモリ等の記録媒体を購入者側端末機５に接続することで、或いはインターネットを介してサーバ３等からダウンロードすることで、インストールすることができる。
【００３６】
購入者側端末機５は、その上で発注アプリケーション５ａが動作することにより、商品の閲覧、商品情報の検索、商品の発注等の購入処理を実行する。
【００３７】
販売補助システム１の動作について説明する。
【００３８】
図２のフローチャートに、販売補助システム１の動作の一例を示す。なお、サーバ３上で管理アプリケーション３ａが、販売者側端末機４の上で受注アプリケーション４ａが、購入者側端末機５上で発注アプリケーション５ａが、それぞれ、動作しているものとする。商品は、一例として衣服とする。
【００３９】
まず、受注アプリケーション４ａの動作、特に商品情報の公開の手順について説明する。
【００４０】
ステップ１０２では、受注アプリケーション４ａは、初回の動作時であるか否かを判断し、初回の動作時であると判断した場合には初期設定を行う。初期設定では、販売者の氏名又は名称、所在地、製造する衣服の部類等を含む販売者に関する基本情報が登録される。これらの基本情報はサーバ３に送信され、サーバ３上の記憶装置（不図示）に記録される。なお、販売者に関する基本情報は、販売者の操作により変更することもできる。
【００４１】
ステップ１０４では、受注アプリケーション４ａは、販売者による操作に従って、販売する衣服を写真撮影する。なお、販売者側端末機４が撮影機能を有しない端末機である場合、販売者がデジタルカメラを用いて衣服を撮影し、その写真を販売者側端末機４内に取り込むこととする。
【００４２】
ステップ１０６では、受注アプリケーション４ａは、販売者に、ステップ１０４にて撮影された衣服に関する付加情報の入力を求める。ここで、付加情報には、商品番号、種類、価格、サイズ、色、素材等が含まれる。また、商品情報の公開を希望する購入者又は購入者のグループを含めることもできる。販売者は、販売者側端末機４の入力装置（不図示）を介して、これらの情報を入力する。入力された付加情報は撮影された写真（イメージファイル）とともに１つの商品情報ファイルにまとめられる。図３に商品情報ファイルの内容の一例を示す。
【００４３】
ステップ１０８では、商品情報が登録される。受注アプリケーション４ａは、商品情報ファイルを販売者側端末機４の記憶装置（不図示）に保存するとともに、サーバ３に送信する。なお、受注アプリケーション４ａは、日時を指定して商品情報を登録することもできる。また、受注アプリケーション４ａは、記憶装置（不図示）に保存された商品情報ファイルを用いて登録履歴を表示装置（不図示）に表示することもできる。
【００４４】
送信された商品情報ファイルは、サーバ３上の記憶装置（不図示）内のフォルダに保存される。フォルダは、管理アプリケーション３ａにより、後述するステップ２０２において登録される購入者に関する基本情報を基に購入者毎又は購入者のグループ毎に用意されている。商品情報ファイルは、それに含まれる付加情報より、例えば、衣服の種類が基本情報に含まれる衣服の部類に合致する購入者又は購入者のグループのフォルダに保存される。或いは、販売者が商品情報の公開を希望する購入者又は購入者のグループのフォルダに保存される。管理アプリケーション３ａは、フォルダ毎に、該当する購入者に対して発注アプリケーション５ａによるアクセス、すなわち商品情報ファイルの内容の閲覧を許可する。該当しない購入者に対しては、発注アプリケーション５ａによるアクセスを制限する。これにより、発注アプリケーション５ａ（購入者）は、その購入者が扱う部類の衣服に関する写真及び付加情報を閲覧することができる。
【００４５】
なお、複数の商品を販売する場合、それぞれの商品についてステップ１０２〜１０６を繰り返すこととする。それにより、商品ごとに商品情報ファイルが作成され、サーバ３に送信されて、それぞれの商品情報が登録される。
【００４６】
次に、発注アプリケーション５ａの動作、すなわち商品発注の手順について説明する。
【００４７】
ステップ２０２では、発注アプリケーション５ａは、初回の動作時であるか否かを判断し、初回の動作時であると判断した場合には初期設定を行う。初期設定では、購入者の氏名又は名称、所在地、取り扱う衣服の部類等を含む基本情報が登録される。これらの基本情報はサーバ３に送信され、サーバ３上の記憶装置（不図示）に記録される。なお、購入者に関する基本情報は、購入者の操作により変更することもできる。
【００４８】
ステップ２０４では、発注アプリケーション５ａは、購入者による操作に従って、購入を希望する衣服を検索する。図４に、購入者側端末機５の画面上に表示される検索画面の一例を示す。この画面では、衣服の種類を基に衣服を検索することができる。一例では、ポインティングデバイスを用いてワンピースが選択されている。なお、衣服の種類に限らず、ステップ１０６において衣服毎に付加された付加情報に含まれる１以上の項目を基に、購入者が購入を希望する衣服を検索することができる。
【００４９】
検索する衣服が選択されると、発注アプリケーション５ａは、サーバ３にアクセスして該当する衣服の商品情報ファイルを閲覧する。商品情報ファイルは、先述の通り、サーバ３上で購入者毎又は購入者のグループ毎に異なるフォルダ内に保存されている。発注アプリケーション５ａは、該当するフォルダ内に保存された商品情報ファイルを閲覧する。
【００５０】
衣服の検索が終了すると、発注アプリケーション５ａは、検索結果の一覧を表示する。図５（Ａ）に、購入者側端末機５の画面上に表示される検索結果の一覧の一例を示す。この例では、検索に合致した１０の衣服の縮小画像が並べて表示されている。この一覧において、ポインティングデバイスを用いて個々の衣服を選択することで、選択された衣服の写真が拡大され、その付加情報等の詳細が表示される。図５（Ｂ）に、選択した衣服の拡大写真及びその詳細情報が表示された画面の一例を示す。発注アプリケーション５ａは、購入者による操作に従って、写真を拡大及び縮小する。これにより、購入者は、商品の写真及び付加情報等の詳細を確認して商品を選択することができる。
【００５１】
ステップ２０６では、発注アプリケーション５ａは、購入者に、購入する衣服の選択及び発注情報の入力を求める。図６に、発注アプリケーション５ａにより購入者側端末機５の画面上に表示される商品発注画面及び発注情報の内容の一例を示す。ここで、発注情報には、購入する衣服の数量、サイズ、色等が含まれる。購入者は、購入者側端末機５の入力装置を介して、購入する衣服を選択し、これらの発注情報を入力する。購入する衣服が複数ある場合、購入者は、それぞれについて選択し、発注情報を入力することとなる。発注アプリケーション５ａは、選択された衣服毎に、その衣服及び販売者の情報とともに発注情報を１つの発注情報ファイルにまとめる。
【００５２】
ステップ２０８では、発注情報が登録される。発注アプリケーション５ａは、全ての発注情報ファイルを購入者側端末機５の記憶装置（不図示）に保存するとともに、サーバ３に送信する。なお、発注アプリケーション５ａは、日時を指定して発注情報を登録することもできる。また、発注アプリケーション５ａは、記憶装置（不図示）に保存された発注情報ファイルを用いて発注履歴を表示装置（不図示）に表示することもできる。
【００５３】
送信された発注情報ファイルは、サーバ３上の記憶装置（不図示）内のフォルダに保存される。フォルダは、管理アプリケーション３ａにより、ステップ１０２において登録された販売者に関する基本情報を基に販売者毎に用意されている。発注情報ファイルは、それに含まれる販売者の情報より、対応する販売者のフォルダに保存される。管理アプリケーション３ａは、フォルダ毎に、該当する販売者に対して受注アプリケーション４ａによるアクセス、すなわち発注情報ファイルの内容の閲覧を許可する。該当しない販売者に対しては、受注アプリケーション４ａによるアクセスを制限する。これにより、受注アプリケーション４ａ（販売者）は、その販売者が扱う衣服に関する発注情報を閲覧することができる。
【００５４】
最後に、受注アプリケーション４ａによる商品受注の手順について説明する。
【００５５】
ステップ１１０では、受注アプリケーション４ａは、受注情報を出力する。受注アプリケーション４ａは、サーバ３にアクセスして該当するフォルダに保存された発注情報ファイルを閲覧する。ここで、発注情報ファイルは、先述の通り、サーバ３上で販売者毎に異なるフォルダ内に保存されている。なお、１の購入者に限らず、複数の購入者から、その販売者が扱う１以上の衣服についての発注情報ファイルが保存されている。受注アプリケーション４ａは、該当するフォルダ内に保存された全ての商品情報ファイルを閲覧し、その内容を販売者側端末機４の表示装置（不図示）に集約して表示する。集約は、例えば、購入者別・被販売アイテム別に受注数を示す。販売者の操作により、発注情報ファイルの内容を印刷することもできる。
【００５６】
販売者は、これにより受注内容を確認し、購入者に商品を納品する。
【００５７】
以上詳細に説明したように、本実施形態の販売補助システム１によれば、ネットワークを介して接続されたサーバと端末機とを利用して、販売者側端末機４上で動作する受注アプリケーション４ａにより商品の写真と付加情報とを含む商品情報ファイルがサーバ３上に登録され、購入者側端末機５上で動作する発注アプリケーション５ａによりサーバ３上に登録された商品情報ファイルを閲覧し、商品を検索することで、購入を希望する商品を選択し、発注する。ここで、サーバ３上で動作する管理アプリケーション３ａが発注アプリケーション５ａによる商品情報ファイルの内容の閲覧を管理することで、購入者は自己の扱う部類の商品に関する商品情報のみを閲覧することができる。これにより、販売者と購入者との間での商品の売買が促進される。
【００５８】
また、本実施形態の販売補助システム１によれば、管理アプリケーション３ａが受注アプリケーション４ａによる発注情報ファイルの内容の閲覧を管理することで、販売者は自己の扱う商品に関する受注内容のみを確認することができる。これにより、販売者と購入者との間での商品の売買が促進される。
【００５９】
なお、本実施形態では、商品として衣服を例にして販売補助システム１の動作及び機能を説明したが、衣服に限らずあらゆる商品について販売補助システム１を活用することができる。図７は、商品情報ファイルの内容のバリエーションを示す図である。（Ａ）は食料品、（Ｂ）は事務用品に関するものである。
【産業上の利用可能性】
【００６０】
本発明の販売補助システムは、販売者と購入者との間での商品の売買を促進するのに好適である。
【符号の説明】
【００６１】
１    販売補助システム
２    インターネット
３    サーバ
３ａ  第３アプリケーション（管理アプリケーション）
４    第１端末機（販売者側端末機）
４ａ  第１アプリケーション（受注アプリケーション）
５    第２端末機（購入者側端末機）
５ａ  第２アプリケーション（発注アプリケーション）
【図１】
2015035113.tif 000003
【図２】
2015035113.tif 000004
【図３】
2015035113.tif 000005
【図４】
2015035113.tif 000006
【図５】
2015035113.tif 000007
【図６】
2015035113.tif 000008
【図７】
2015035113.tif 000009